(57)【要約】      （修正有）【課題】インターネットを一部使ったインターネット内ＬＡＮの構築、その利用として非公開の会員制ＳＮＳやフィッシング防止、データ盗難漏洩防止等を提供する。【解決手段】ポータルサイトの表紙部分としてｉｎｄｅｘ．ｈｔｍｌを使用し、検索エンジンに登録、不特定多数の人々から会員を募る。登録された会員は自分のホームページを作り、従来の外部検索エンジンには載せないで、そのホームページの一行要約コメントと多数の検索文字とＵＲＬを電子メールでポータルサイトの本文部分としてジャンル別に集合する一覧に登録する。ポータルサイトの本文相当部分はＵＲＬを異にするホームページサーバーにｉｎｄｅｘ．ｈｔｍｌを使用しないｈｔｍｌ形式ファイルを、直接ＦＴＰでアップロードしておき、会員がポータルサイト一覧を見るにはポータルサイト本文相当部分から直接実行ファイルで一覧ファイルをダウンロードし閲覧する。【選択図】なし【特許請求の範囲】
【請求項１】
情報の表示を中心的に行うポータルサイト管理者がポータルサイトの表紙相当部分だけにｉｎｄｅｘ．ｈｔｍｌを使用して検索エンジンに登録して会員を募集し、プロバイダー系のホームページサーバーであれば、情報ファイルはｉｎｄｅｘ．ｈｔｍｌを使用しないＨＴＭＬ形式のファイルにしてアップロードしておく。自宅サーバーの場合はそのままファイルをアップロードしておく。これを閲覧できる会員はウェブ・ブラウザーを使用せず、先渡ししてある実行ファイルで当該ファイルを当該ホームページサーバーからファイルをダウンロードして閲覧する。他の方法として伝えたい情報の一行コメントと電子メールアドレスを管理者に電子メールして、管理者のポータルサイトホームページに集合転載してもらう。そのコメントを見て詳細を見たい人は添付電子メールアドレスの受信者にメールして、詳細の返信メールを要請すると、受信者から電子メールで情報が返信されるシステム。
【請求項２】
フィッシングされる可能性のある銀行等の金融関連業種の入力要件等のホームページのＵＲＬをｉｎｄｅｘ．ｈｔｍｌ以外のファイルに書き込んでおき、そのファイルをポータルサイトのホームページサーバーにアップロードしておく。会員が金融機関等への入金の場合、ウェブ・ブラウザーを介さずにポータルサイトのホームページサーバーから当該ファイルを直接ダウンロードして表示される金融機関等の当該ＵＲＬをクリックして処理するシステム。
【請求項３】
パソコン内に置けないデータ、パスワード等を会員の契約割り当てホームページサーバーにｉｎｄｅｘ．ｈｔｍを付けないファイルでデータをアップロードしておき、必要に応じて自分のホームページサーバーから当該データをダウンロードして使用するシステム。
【請求項４】
ポータルサイトの表紙相当部分だけにｉｎｄｅｘ．ｈｔｍｌを使用して検索エンジンに登録して会員を募集し、ポータルサイト主催者は多数の会員のホームページサーバーのＵＲＬにＩＤ番号を付け、この番号とＵＲＬをデータとして組み込んだ変換実行ファイルをプロバイダー系の場合はポータルサイトサーバーにｈｔｍｌファイル内のリンク形式で、自宅サーバーの場合は実行ファイルでアップロードしておく。特定会員間で送受信する際、この番号とＵＲＬをデータとして、又これらを相互変換するためのモジュールを組み込んだ実行ファイルをポータルサイトホームページサーバーからダウンロードする実行ファイルを会員にあらかじめ渡しておき、会員が特定の会員に各種データを送信する場合は先ず送信するデータを選択し、次に相手の番号を入力すると、ＩＤ番号とＵＲＬデータ変換ファイルがダウンロードされ、当該ファイル内でＩＤ番号をＵＲＬに変換して、ＵＲＬに従って相手会員のホームページサーバーに送信される。受信者は自分のホームページサーバーから直接ダウンロードして閲覧するシステム。
【請求項５】
或る実行ファイルが特定の機器でしか作動しないようにするため、モジュールとして、当該ソフトを使う側から送信されたＩＤと事前に当該ソフト管理者から本人確認のため、使用者に送った電子メールアドレスと管理者のメールアドレスをソフトに組み込み、ＣＤ又はＵＳＢメモリー内のソフトを立ち上げる度に当該ソフト使用者の機器内のメール受信ボックス内の双方のメールアドレスと当該使用者が起動時入力するＩＤを検証して合致すれば当該ソフトが起動し、合致しなければソフトが起動しないシステム。
【発明の詳細な説明】
【技術分野】
【０００１】この発明はインターネットプロバイダーのホームページサーバーにｉｎｄｅｘ．ｈｔｍｌを使わないファイルを多数搭載し、このファイルを直接サーバーからダウンロードして閲覧する一般非公開、会員専用ローカルネットワークに関する。
【背景技術】
【０００２】従来、インターネットのホームページは世界中の不特定多数の閲覧者が検索エンジンによって見たい情報をインターネット上のｉｎｄｅｘファイルを検索して利用されているのが一般的で、フィッシングによる詐欺、ウイニー等によるデータ漏洩等根本的に防ぎようがなく、たえず事故や攻撃が起きてから対処するのが一般的であった。又、インターネット掲示板は意図的に悪意を持った投稿記事の削除要求をその膨大な投稿量によって簡単にはできなかった。更に、インターネットポータルサイトは広告料獲得の為には閲覧者を多くする必要があり、そのため情報量が多くなればなるほど、サーバーの大型化による投資金額と要員の増加という経常利益の圧迫の原因となっている。
【発明の開示】
【発明が解決しようとする課題】
【０００３】この発明が解決しようとする課題は、不特定多数の閲覧でなくＷＷＷでは非公開、会員のみの閲覧とし、他人への中傷、又は悪意をもってシステムを破壊しようとする者に対する防御、電子マネーなど金融決裁手段の安全確保とパソコン内のデータ保護、会員間のデータ送受信、ポータルサイトサーバーの設備投資資金を抑え、しかも運営コストもローコストで、本ネットワークサイト就業者を増やすことによって就業率の向上を目的としている。
【課題を解決するための手段】
【０００４】この発明ではパソコン仕様でも携帯電話仕様でも二つの手段が有り、まず一つ目はインターネットの一部使用とインターネット遮断を併用したもので、情報の掲載一覧を中心的に行うポータルサイトの管理者がそのホームページサーバーに情報一覧ファイルをアップロードするファイルにはｉｎｄｅｘ．ｈｔｍｌを使用しないで、ＨＴＭＬ形式のファイルをＦＴＰでアップロードする。これを閲覧できる会員はウェブ・ブラウザーを使用せず、先渡ししてある実行ファイルで当該情報一覧ファイルを当該ホームページサーバーからＦＴＰでダウンロードして閲覧する。【０００５】会員の情報発信はＷｏｒｄ文書又はリッチテキストなどをｉｎｄｅｘ．ｈｔｍｌにして、会員の契約プロバイダーのホームページサーバーにアップロードするとともに、その内容の一行コメントと複数の検索用文字及びＵＲＬを管理者に電子メールして、管理者のポータルサイトホームページに集合転載してもらい、他の会員はポータルサイトホームページサーバーから直接情報一覧をダウンロードする。あるいは伝えたい情報の一行コメントと検索用文字及び電子メールアドレスを管理者に電子メールして、管理者のポータルサイトホームページに集合転載してもらい、そのコメントを見て詳細を見たい人は添付電子メールアドレスの受信者にメールして、詳細の返信メールを要請すると、受信者からアウトルックエキスプレス文書欄のリッチテキストを使って、文書、絵、動画、音楽などの情報が返信されてくる。この際、多数の送信者メールアドレスから自動的に返信メールを送信する。【０００６】その詳細を記述すれば、ポータルサイトの表紙に相当する趣旨説明と入会手続き部分だけをｉｎｄｅｘ．ｈｔｍｌにして、プロバイダーのホームページサーバーに転送し、グーグルやヤフーなどの検索エンジンに登録しておき、本文に相当するポータルサイトのジャンル別目次と内容案内部分とリンク情報は通常搭載するｉｎｄｅｘ．ｈｔｍｌは不特定多数の人が閲覧できないように使用せず、又この本文ファイルは表紙部分とは全く異なるＵＲＬを付けてホームページサーバー上に置き、登録会員だけが閲覧出来るようにする。会員のホームページも一切検索エンジンには登録させない。【０００７】ポータルサイト表紙部分のホームページにはこのＳＮＳ（ソーシャルネットワークサービス）の趣旨と入会規則、内容見本と入会のための電子メール及びフィッシング防止システムとデータ保護システムの各説明とＣＤかＵＳＢメモリーか選択申し込み用電子メール、企業委託広告を搭載しておく。この表紙を見て、入会希望者は添付申し込み用電子メールに自分の電子メールを記載してポータルサイト主催者に送信し、電子メールを受信したポータルサイト主催者は改めて入会希望者に住所氏名電話番号とＩＤの電子メール返信を要請し、返信があった申込者には会員登録して、検索エンジンでは閲覧できない当該ポータルサイトのＳＮＳとフィッシング防止システム、データ保護システム選択メニュー画面入りＣＤ又はＵＳＢメモリーを郵送する。【０００８】このＣＤ又はＵＳＢメモリーは会員一人ひとりのパソコンでしか作動しないようにするため、モジュールとして、ＣＤ又はＵＳＢメモリーに焼き付けられる前にソフトは会員申し込み時に会員から送信されたＩＤと事前にポータルサイト主催者から本人確認のため、会員に送った電子メールアドレスとポータルサイトのメールアドレスと受信日付をソフトに組み込み、ＣＤ又はＵＳＢメモリー内のソフトを立ち上げる度に当該会員のパソコン内のメール受信ボックス内の双方のメールアドレスと会員が起動時入力するＩＤ及び一定範囲内の受信日付を検索して合致すればソフトが起動する。合致しなければ他人のパソコンと判断して、ソフトは起動しない。【０００９】本人確認のための会員宛電子メール送信はときどき行い、当該ソフトが本人だけが運用いていることを確認にし、他人が絶対に使用できないようにする。【００１０】会員に送付したＣＤ又はＵＳＢメモリーに組み込まれた当該ソフトは他人が絶対に使用できないソフトであるため、開発者以外その内容を見る事が出来ないポータルサイトの実行ファイルの中に当該ポータルサイトのアドレスとパスワードを書き込んでおき、直接ポータルサイトサーバーのｐｕｂｌｉｃホルダーからポータルサイトのファイルをダウンロードだけ出来るようにしておく。【００１１】核心部分のポータルサイトのＳＮＳには予めジャンル別項目をいくつか載せておき、会員のホームページ紹介のための一行コメントと複数の検索用文字とＵＲＬ及びそれを掲載する為の受付電子メールを貼り付けておく。ジャンル別項目は随時会員の希望項目を要望により増減変更させる。【００１２】表紙にあたるポータルサイトと本文にあたるポータルサイトにもジャンル別にそのジャンルにふさわしい委託広告を載せる。【００１３】会員は何か情報を発信したければ、自分でワードや一太郎、ホームページ作成ソフトで自分のホームページを作り、各自自分のホームページをプロバイダーのホームページサーバーに転送し、そのホームページ紹介の一行コメントと複数検索用文字とＵＲＬを電子メールでポータルサイトに電子メール送信する。ポータルサイト側ではこの電子メールを毎日自動的にジャンル別、日付別に分類して核心ポータルサイトの１ページ目に目次としてジャンル別、日付順に掲載する。【００１４】情報発信の他の方法として、ポータルサイトの添付電子メールに会員情報紹介の一行コメントと当該会員のＳＮＳ専用の電子メールアドレスを送信する。ポータルサイト側ではこの電子メールを毎日自動的にジャンル別、日付別に分類して核心ポータルサイトの１ページ目に目次としてジャンル別、日付順に掲載する。【００１５】情報発信は会員のホームページ方式と電子メール方式が混在する場合もある。いずれの場合も情報の中に個人を中傷することや公序良俗に反する記事があれば事実を確認してポータルサイトの当該ＵＲＬを削除する。【００１６】ポータルサイトサーバーが一杯になったら、分割できるジャンルのコメントと複数の検索用文字とＵＲＬを他の会員契約サーバーに移すことを繰り返し、当該システム内検索に役立て、且つポータルサイト主催者の別のハードディスクにコピーしてから削除する。【００１７】会員はそのコメントを読み、更に詳しい内容を見たければ、そのＵＲＬをクリックして相手のホームページへと進む。そのホームページを読んで意見や感想、売買等の情報があれば、その情報を自分のホームページに作成し、自分の契約プロバイダーの割当ホームページサーバーにアップロードし、当該ポータルサイトに内容一行コメントと複数の検索用文字とＵＲＬを電子メールでポータルサイトへ送信して、ポータルサイトに載せて貰う。会員各自のホームページは部外者の侵入を防ぐ為、検索エンジンへの登録を禁止する。【００１８】ポータルサイトに会員の情報紹介コメントに電子メールが掲載されている場合はその情報を見たい人は電子メールで情報要求すると、発信者から電子メールのリッチテキスト欄で作った文書、絵、動画、音楽などが返信されてくる。【００１９】会員のホームページが商品売買であれば、商品代金を一時ポータルサイトで預かり、売主が商品を発送し、双方納得すれば代金から手数料を引いて売主に支払う。【００２０】会員が増え、ポータルサイトの会員のホームページコメントと複数の検索用文字とＵＲＬが増大し、ポータルサイトのジャンル別バイト総数がポータルサイトサーバーの容量を超えそうな場合は分割出来るジャンルだけ会員の中の適任者のレンタルホームページサーバーに委託し、管理を任せる。更に増加する場合は同様に委託管理し続ける。【００２１】ＣＤ内のフィッシング防止システムはフィッシングされる可能性のある銀行等の金融関連業種の入力要件等ホームページのＵＲＬをｉｎｄｅｘ．ｈｔｍｌ以外のファイルに書き込んでおき、ポータルサイトのホームページサーバーにアップロードしておく。会員が金融機関等への入金の場合はウェブ・ブラウザーを介さず、ポータルサイトのホームページサーバーから当該ファイルを直接ダウンロードして、金融機関等ＵＲＬをクリックして処理するか、又は金融機関当からの問合せに答える。【００２２】ＣＤ内のデータ秘密保持用実行ファイルはパソコン内に置けないデータ、パスワード等を会員の契約プロバイダー割り当てホームページサーバーにｉｎｄｅｘ．ｈｔｍを付けないファイルでデータをアップロードしておき、必要に応じて自分のホームページサーバーから当該データをダウンロードし使用するソフトで、必ず会員申し込み時に送信されたＩＤとソフト起動時に入力したＩＤと確認モジュールで確認して本人確認する。【００２３】ＵＳＢメモリーに組み込まれたデータ秘密保持用ソフトは持ち運び不便なＣＤの換わりに、携帯に便利という利点を生かして、パソコン内に置けないデータ、パスワード等を会員の契約プロバイダー割り当てホームページサーバーにｉｎｄｅｘ．ｈｔｍを付けないでアップロードするソフトで、その他ＳＮＳ、フィッシング防止システムの実行ファイルを組み込んでおく。【００２４】通常本発明のＣＤ又はＵＳＢメモリー内に入れた当該ソフトは会員所有の特定パソコン等の機器でしか起動しないが、データ秘密保持用ソフトを単独で他のパソコン又は携帯電話で起動させたい場合には当該ソフトの機種選定モジュールを外す。【００２５】二つ目はポータルサイトの表紙以外はｉｎｄｅｘ．ｈｔｍｌやｗｅｂブラウザを一切使用せず、会員相互のホームページサーバーにデータを直接ＵＲＬに送受信し、ローカルネットワークを構築する方法である。【００２６】ポータルサイト管理者が多数の会員のホームページサーバーのＵＲＬに登録者だけが知るＩＤのような番号を付け、この番号とＵＲＬをデータとして組み込んだ番号ＵＲＬ変換モジュールを含む実行ファイルをポータルサイトサーバーにｈｔｍｌファイル内のリンク形式でアップロードしておく。【００２７】特定会員間で送受信する際、この番号とＵＲＬのデータとそれを変換するためのモジュールを組み込んだ実行ファイルをダウンロードする実行ファイルを会員にあらかじめ渡しておき、会員が特定の会員に各種データを送信する場合は先ず送信するデータと種別を選択し、次に相手の番号を入力すると、番号ＵＲＬデータとその変換実行ファイルがダウンロードされ、当該ファイル内で番号をＵＲＬに変換して、ＵＲＬに従って相手会員のホームページサーバーに送信する。送信完了すると自動的にＵＲＬ番号データ内蔵の変換実行ファイルが削除されて個人情報を保護する。そして受信者は自分のホームページサーバーから直接ダウンロードして閲覧する。【００２８】送信データ容量は送信先会員の契約プロバイダー割り当てホームページサーバーの容量によって決まり、無料ホームページサーバーの１０メガバイトから自宅サーバーとして外付けハードディスクによる無制限と各種あり、送信する前に相手サーバーの容量を確認する。【００２９】プロバイダー系ホームページサーバーであればアップロードするファイルの種別が規制されているので、ｉｎｄｅｘ．ｈｔｍｌ以外のｈｔｍｌファイルにリンクする形式で組み込み、アップロードする。【００３０】自宅サーバーを認めているプロバイダーであれば不正侵入者防止のルーターを介して自宅サーバーを設定してＵＲＬを取得し、ポータルサイトから支給された指定ファイルを送受信する実行ファイルで送受信する。【００３１】自宅サーバーで送受信できるファイルの種類は各種文書ファイル、映像、通信等で、ウィルスを媒介する実行ファイルは制限する。
【発明の効果】
【００３２】本発明は以上のようにポータルサイト以外はｉｎｄｅｘ．ｈｔｍｌを使用しないので住所氏名確認済みの会員以外の不特定多数の情報発信は出来ず、会員にとって有益な情報だけをポータルサイトに掲載できる。当該ＳＮＳの場合は誹謗中傷などの掲載は会員からのクレームがあれば、当該ホームページのポータルサイト案内欄を閉鎖すれば簡単に出来、安心できるＳＮＳの構築ができる。【００３３】ポータルサイトの会員が増え、ジャンル別目次部分が大きくなれば、ポータルサイト管理者から他の会員に分担され、これが繰り返されるとともに、情報の検閲、苦情処理、広告管理など派生する仕事も多くなり、このＳＮＳでの就業人口が増大する。【００３４】フィッシング防止システムの場合はウェブ閲覧せずに直接金融機関のＵＲＬをダウンロードして手続処理するので、外部からのフィッシングされる危険がない。【００３５】データ保護システムについては、パソコン内の貴重なデータをウィニーなどのファイル交換ソフトや外部からのファイル盗難に対し、外部の会社ホームページサーバーという極めて安全な場所に格納でき、しかも本人は自由にあたかも自分のホルダーのごとく扱える。
又、持ち運びするＵＳＢメモリーや携帯電話の場合は紛失しても他人に見られて困るデータは全て外部の安全なホームページサーバー内に保管してあるので他人は絶対覗けない。【００３６】従来のインターネットでは個人同士の通信は文字どうり網目状に伝送され、他人に見られる危険もあったが、他人使用不可なこのシステムではＩＤ番号によるプロバイダーのホームページサーバーＵＲＬ宛なので、いちいち第三者を介した暗号化しなくても通信の秘密が護られる。【００３７】自宅サーバーを使えば、直接大量のデータを送受信でき、将来のＮＧＮ（次世代ネットワーク）としてインターネットと通信と放送の融合に道を開くものである。
【発明を実施するための最良の形態】
【実施例１】
【００３８】プロバイダーとしてＯＣＮと契約した場合、１０ＭＢの無料ホームページのＵＲＬを取得して、表紙部分としての当該ポータルサイト入会申し込みメニューと受託契約広告を１０ＭＢ以内でワードを使って当該システムの趣旨と申し込み用電子メールをハイパーリンクで貼り付け、ｉｎｄｅｘ．ｈｔｍｌとしてアップロードし、検索エンジンに登録しておく。【００３９】申込者は添付電子メールに返信用電子メールと氏名だけ入れて、ポータルサイトに送信する。ポータルサイトから返信メールがきたら初めて住所と本名を入力して返信すると、当該ソフト入りＣＤ又はＵＳＢメモリーが郵送されてくる。【００４０】ＣＤ又はＵＳＢメモリー内のソフトはＳＮＳとフィッシング防止システムとデータ保護システムであるが、いずれも使用する個人とパソコンを特定するために、先ず使用者の電子メールとポータルサイトの電子メール及び会員から送られてきたＩＤを当該ソフト内に相互の電子メールチェックを行うモジュールを書きこんでおき、当該ソフトを立ち上げる度にこのモジュールが働き、本人確認する。【００４１】立ち上がるとメニュー画面が現れる。この画面にはＳＮＳとフィッシング防止システム、データ保護システムが表示され、どれかをクリックするとリンクされているそれぞれのシステムへと進む。ＳＮＳの場合は会員ホームページのジャンル別目次とジャンル別ホームページ紹介コメントとリンクされたＵＲＬと関連委託広告が現れる。【００４２】この本文部分のメニュー画面はワードで作り、ＳＮＳシステムとフィッシング防止システム、データ保護システムをハイパーリンクでそれぞれの実行ファイルとリンクさせ、ｉｎｄｅｘ．ｈｔｍｌ以外のｈｔｍｌファイルで表紙部分とは異なるＵＲＬにアップロードする。【００４３】このＣＤを電源を入れたパソコンに挿入すれば自動的に選択メニューが現れ、ＳＮＳを選択すれば、ポータルサイトの本文部分としてのジャンル別目次が現れるので、見たいジャンルをクリックすると会員ホームページのＵＲＬとリンクした一行コメント集団が現れ、そのコメントを読み、詳細を読みたければそのＵＲＬリンクをクリックし、その会員のホームページに進む。【００４４】このＳＮＳシステムをクリックすると前もってモジュールに記述してあるポータルサイトのログインネームとパスワードを使ってｆｔｐのポータルサイトｐｕｂｌｉｃホルダーがオープンし、システムの当該ファイルをダウンロードした後ｆｔｐをクローズして、ｓｈｅｌｌを使ったチャイルドプロセスで閲覧できるようになっている。【００４５】ＳＮＳの場合の会員情報発信は自分の契約プロバイダーホームページサーバーにホームページをアップロードし、その案内コメントと複数検索用文字とＵＲＬをポータルサイトにメールすればポータルサイトは日毎ジャンル別に集合させてポータルサイトに掲示する。【００４６】フィッシング防止システムを選択すれば、前もってモジュールに記述してあるポータルサイトのログインネームとパスワードを使ってｆｔｐのポータルサイトｐｕｂｌｉｃホルダーがオープンし、システムの当該ファイルをダウンロードした後ｆｔｐをクローズして、ｓｈｅｌｌを使ったチャイルドプロセスで閲覧でき、各金融機関等の社名と当該会社管理の非公開ＵＲＬ一覧が表示されるので、会員は会員契約のＵＲＬをクリックすれば間違いなく当該金融機関にリンクする。【００４７】データ漏洩防止システムを選択すればＣＤ又はＵＳＢメモリー内の当該実行ファイルが起動し、会員の保護したいデータと会員のログインネームとパスワードを入力して次に進めば、会員自身のログインネームとパスワードを使ってｆｔｐのｐｕｂｌｉｃホルダーをオープンさせ、そのデータを会員の契約プロバイダーのホームページサーバーにアップロードした後ｆｔｐをクローズして、第三者から完全に防御するとともに、データが必要とあれば、同様にログインネームとパスワードを会員本人が入力することによって、ｆｔｐのｐｕｂｌｉｃホルダーをオープンさせ、データを直接ダウンロードした後クローズしてデータを使用する。
【実施例２】
【００４８】会員間データ送受信ＬＡＮでは、プロバイダーとして自宅サーバー設定可能なプロバイダーと契約する。或るプロバイダーでは１０メガバイト迄の無料ホームページを使用可能なので、このシステムの表紙部分として、ワードを使ってこのポータルサイトにＬＡＮ申し込み用の電子メールを貼り付けておき、ｉｎｄｅｘファイルとしてアップロードしておく。この表紙部分のポータルサイトだけを検索サイトに登録する。申込者から住所氏名と会員のホームページＵＲＬの電子メールがあれば会員となり、そのＵＲＬにＩＤ番号を付け、この番号ＵＲＬデータを内在し、番号とＵＲＬ変換モジュールを含む実行ファイルを作り、ポータルサイトホームページサーバーにアップロードしておく。【００４９】会員はこのＩＤを使って会員のホームページサーバーに直接会員相互にデータの送受信を行うが、データ送信の場合はＣＤ又はＵＳＢメモリー内の実行ファイルを起動させ、送信先のＩＤ番号を入力すると実行ファイルに前もって書き込まれているポータルサイトのログインネームとパスワードを使ってｆｔｐのポータルサイトのｐｕｂｌｉｃホルダーがオープンし、区分けされたＩＤ番号とＵＲＬデータと変換ファイルがダウンロードした後、クローズして送信先のＩＤ番号をモジュールによってＵＲＬに変換する。そして送信先会員の秘密のログインネームとパスワードが自動的に入力され、ｆｔｐの相手のｐｕｂｌｉｃホルダーがオープンし、送信ファイルをアップロードしてｆｔｐをクローズするとともに実行ファイルの全てのプログラムをデリートして消去し、個人データを保護する。そして自動的にＲＳ−２３２Ｃ制御で通信回線を使って、相手の固定電話又は携帯電話に送信した事をメッセージ電話する。
受信した会員は前もってモジュールに記述してある自分のログインネームとパスワードで自動的にｆｔｐの自分のｐｕｂｌｉｃホルダーをオープンさせ、送られてきたファイルをダウンロードしてｆｔｐをクローズし、ｓｈｅｌｌを使ったチャイルドプロセスで確認する。【００５０】送信するファイルの拡張子は決まっており、文書、音楽、映像、音声等のファイルで、送信する際にそのファイルの拡張子をチェックしてから相手サーバーにアップロードする。
実行ファイルは送れない。